【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】  複数のビデオ・チャネル上で搬送されるそれぞれのプログラムを表すパケット化されたビデオ・データを受信するデジタル・ビデオ復号システムであって、
対応する複数のビデオ・チャネル上で搬送されるビデオ・プログラムの画像を表す符号化ビデオ・データを格納する複数のバッファであって、前記個々のビデオ・チャネル上で搬送されるプログラムを復号するためのスイッチング後のアンダー・フロー状態を防ぐのに十分な符号化ビデオ・データを格納する、個々のビデオ・チャネルに対応する個々のバッファ、を含む複数のバッファと、
ユーザーのチャネル選択入力に応じて、複数のビデオ・チャネルのうち選択された１つのチャネル上で搬送されるプログラムを復号するためのスイッチングをイニシエートするプロセッサと、
前記プロセッサによってイニシエートされたスイッチングによって決定された前記選択されたビデオ・チャネル上で搬送される前記プログラムに対応する前記複数バッファのうちの１つから受け取った符号化ビデオ・データを復号する復号器と
を含み、
前記プロセッサによってイニシエートされたスイッチングに応じて、前記ユーザー選択チャネル上で搬送される前記プログラムを復号するスイッチングにおいて前記復号器が少なくとも一つのスプライス制約（splicing constraints）を使用し、前記少なくとも一つのスプライス制約（splicing constraints）は、前記プログラムのフレーム、前記プログラムのフレームシーケンス、前記プログラムのピクチャ、および前記プログラムのＧＯＰの少なくとも一つに応答して実行される
ことを特徴とするシステム。
【請求項２】  前記スプライス制約（splicing constraints）は、（ａ）前記プログラム・データのＭＰＥＧ対応アンカーＩフレームで、前記ユーザー選択チャネル上のプログラム・データの復号を開始すること、（ｂ）復号を開始する前に、前記ユーザー選択チャネル上のプログラム・データのＧＯＰ内のＢフレームを廃棄すること、ならびに（ｃ）現在表示されているプログラムの復号から、前記現在表示されているプログラムのＧＯＰアンカー・フレームの直前で、前記ユーザー選択チャネル上のプログラム・データの復号にスイッチングする、ことのうちの少なくとも１つを含むことを特徴とする請求項１に記載のシステム。
【請求項３】  前記複数のバッファは、前記復号器によって復号可能な各チャネル用に指定されたバッファを含むことを特徴とする請求項１に記載のシステム。
【請求項４】  複数のチューナを含み、第１のチューナからの符号化されたビデオ・データを第１のバッファ内に格納することと、ならびに第２のチューナから導出された符号化されたビデオ・データを同時に復号することを可能にすることを特徴とする請求項１に記載のシステム。
【請求項５】  前記復号器は、前記複数のバッファのうちの１つから受け取った前記符号化されたビデオ・データを復号するときに、復号されたデータを異なる画像シーケンスで提供するためにデータを並べ替えることを特徴とする、請求項１に記載のシステム。
【請求項６】  ユーザーによって選択される次のビデオ・チャネルを予測し、および前記次のビデオ・チャネル上で搬送されるプログラムを表す受信符号化ビデオ・データを前記複数のバッファのうちの１つに向けて送る、予測プロセッサを含むことを特徴とする請求項１に記載のシステム。
【請求項７】  前記予測プロセッサは、（ａ）ユーザーが好むプログラム／チャネル基準と、（ｂ）ユーザー・インターフェース・ナビゲーション・コマンドと、（ｃ）ユーザー・インターフェースのセンサー入力データ、とのうち、少なくとも１つに応じて前記次のビデオ・チャネルを予測することを特徴とする請求項６に記載のシステム。
【請求項８】  複数のビデオ・チャネル上で搬送されるそれぞれのプログラムを表すパケット化されたビデオ・データを受信するデジタル・ビデオ復号システムであって、
対応する複数のビデオ・チャネル上で搬送されるビデオ・プログラムの画像を表す符号化ビデオ・データを格納する複数のバッファと、
ユーザーによって選択される次のビデオ・チャネルを予測して前記次のビデオ・チャネル上で搬送されるプログラムを表す受信符号化ビデオ・データを前記複数のバッファのうちの１つに向けて送る予測プロセッサと、
ユーザーのチャネル選択入力に応じて、前記次のビデオ・チャネル上で搬送されるプログラムを復号するためにスイッチングをイニシエートするプロセッサと、
前記次のビデオ・チャネル上で搬送される前記プログラムに対応する、前記複数バッファのうちの１つから受け取った符号化ビデオ・データを、前記プロセッサによってイニシエートされたスイッチングの結果として確定されたときに復号する復号器（１１０）と
を含むことを特徴とするシステム。
【請求項９】  前記予測プロセッサは、（ａ）ユーザーが好むプログラム／チャネル基準と、（ｂ）ユーザー・インターフェース・ナビゲーション・コマンドと、（ｃ）ユーザー・インターフェースのセンサー入力データ、とのうち、少なくとも１つに応じて前記次のビデオ・チャネルを予測することを特徴とする請求項８に記載のシステム。
【請求項１０】  それぞれが複数のビデオ・チャネルのうち対応する１つのチャネル上で搬送される複数のビデオ・プログラムを順次表示する方法であって、
少なくとも１つのメモリ装置を使用して、複数のビデオ・プログラムの画像を表す符号化ビデオ・データを同時に格納し、前記少なくとも１つのメモリ装置からの再生後のアンダー・フロー状態を防ぐために、前記複数のビデオ・プログラムそれぞれについて、十分な符号化ビデオ・データが格納されるステップと、
ユーザー入力を検出するステップと、
前記ユーザー入力に応じて、複数のビデオ・プログラムのうち選択された１つを復号するためのスイッチングをイニシエートするステップと、
前記複数のビデオ・プログラムのうち前記選択された１つに対応する格納された符号化ビデオ・データを復号するステップと
を含み、
前記スイッチングをイニシエートするステップは、前記複数のビデオ・プログラムのうち前記選択された１つを復号するためのスイッチングにおいて、スプライス制約（splicing constraints）を使用するステップを備え、前記少なくとも一つのスプライス制約（splicing constraints）は、前記選択されたプログラムのフレーム、前記選択されたプログラムのフレームシーケンス、前記選択されたプログラムのピクチャ、および前記選択されたプログラムのＧＯＰの少なくとも一つに応答して実行されることを特徴とする方法。
【請求項１１】  前記スプライス制約（splicing constraints）を使用するステップは、（ａ）前記プログラム・データのＭＰＥＧ対応アンカーＩフレームで、前記選択されたビデオ・プログラムに対応する暗号化されたビデオ・データの復号を開始すること、（ｂ）復号を開始する前に、前記選択されたビデオ・プログラムに対応するビデオ・データのグループ・オブ・ピクチャ内のＢフレームを廃棄すること、ならびに（ｃ）現在表示されているプログラムの復号から、前記現在表示されているプログラムのグループ・オブ・ピクチャ・アンカー・フレームの直前で、前記選択されたビデオ・プログラムの復号にスイッチングする、ことのうちの少なくとも１つを含むことを特徴とする請求項１０に記載の方法。
【請求項１２】  それぞれが複数のビデオ・チャネルのうち対応する１つのチャネル上で搬送される複数のビデオ・プログラムを順次表示する方法であって、
少なくとも１つのメモリ装置を使用して、複数のビデオ・プログラムの画像を表す符号化ビデオ・データを同時に格納し、前記少なくとも１つのメモリ装置からの再生後のアンダー・フロー状態を防ぐために、前記複数のビデオ・プログラムそれぞれについて、十分な符号化ビデオ・データが格納されるステップと、
ユーザー入力を検出するステップと、
前記ユーザー入力に応じて、複数のビデオ・プログラムのうち選択された１つを復号するためのスイッチングをイニシエートするステップと、
前記複数のビデオ・プログラムのうち前記選択された１つに対応する格納された符号化ビデオ・データを復号するステップと
ユーザーによって選択される次のビデオ・チャネルを予測するステップと
を含み、
前記複数のビデオ・プログラムの画像を表す符号化ビデオ・データを同時に格納する前記ステップは、前記予測された次のビデオ・チャネル上で搬送されるビデオ・プログラムに対応する画像を表す符号化ビデオ・データを格納するステップをさらに含むことを特徴とする方法。
【請求項１３】  前記次のビデオ・チャネルを予測する前記ステップは、（ａ）ユーザーが好むプログラム／チャネル基準を確定するステップと、（ｂ）ユーザー・インターフェース・ナビゲーション・コマンドを確定するステップと、（ｃ）ユーザー・インターフェースのセンサー入力データを確定するステップ、のうち少なくとも１つを含むことを特徴とする、請求項１２に記載の方法。
【請求項１４】  複数のチューナを使用して前記対応する複数のビデオ・チャネルを同時に受信するステップと、
前記複数のうち第１のチューナからの符号化ビデオ・データを、前記少なくとも１つのメモリ装置から選択された第１のバッファ内に格納するステップと、
前記複数のチューナから選択された第２のチューナから導出された符号化ビデオ・データを同時発生的に復号するステップと
をさらに含むことを特徴とする、請求項１２に記載の方法。
【請求項１５】  前記格納された符号化ビデオ・データを復号するステップは、前記格納された符号化ビデオ・データの中から選択されたデータを並べ替え、復号されたデータを異なる画像シーケンスで提供するステップを含むことを特徴とする、請求項１２に記載の方法。